(57)【要約】【課題】シャックル無しで玉掛けワイヤロープ等の連結が可能な開閉式アイボルトを提供する。【解決手段】アイボルト本体２がＵ字形で、その両端部間にロックボルト３を螺合することで、はじめて閉ループ構造になるため、シャックル無しでも、玉掛けワイヤロープ１の連結が可能である。ロックボルト３の基端に扁平頭部１２が形成されているため、該扁平頭部１２を手で持ってロックボルト３のアイボルト本体２に対する螺合作業を行うことができる。【選択図】図１
2010048377.tif 000002
【特許請求の範囲】
【請求項１】
底面にネジ軸が形成され且つ両端部に貫通孔とネジ孔が形成された概略Ｕ型のアイボルト本体と、前記貫通孔からネジ孔へ挿入自在で且つ先端にネジ孔に螺合するネジ部が形成されたロックボルトとから構成されたことを特徴とする開閉式アイボルト。
【請求項２】
底面にネジ軸が形成され且つ両端部のそれぞれに貫通孔が形成された概略Ｕ型のアイボルト本体と、前記両貫通孔に挿入自在で且つ先端にネジ部が形成されたロックボルトと、前記ロックボルトの前記ネジ部に螺合するロックナットとから構成されたことを特徴とする開閉式アイボルト。
【請求項３】
ロックボルトの基端に扁平頭部が形成されていることを特徴とする請求項１乃至請求項２のいずれかに記載の開閉式アイボルト。
【請求項４】
前記ネジ軸は前記アイボルト本体において回動自在に固定されていることを特徴とする請求項３に記載の開閉式アイボルト。
【発明の詳細な説明】
【技術分野】
【０００１】
本発明は開閉式アイボルトに関するものである。
【背景技術】
【０００２】
従来、重量物を玉掛けして吊り上げたりする場合にアイボルトが利用される。アイボルトは、リング状本体の下部にネジ軸を形成した構造で、重量物に形成されたタップ穴にネジ軸を螺合させてアイボルトを取り付け、リング状本体に玉掛けロープを連結して、クレーン等で吊り上げる（例えば、特許文献１参照）。
【特許文献１】特開平７−２１７６３０号公報
【発明の開示】
【発明が解決しようとする課題】
【０００３】
しかしながら、このような従来の技術にあっては、アイボルトのリング状本体が閉ループ構造のため、同じく先端が閉ループ状になった玉掛けワイヤロープを使用する場合には、いったんアイボルトのリング状本体にシャックルを取付け、シャックルを介して玉掛けワイヤロープの閉ループ状の先端を連結する必要がある。シャックルはＵ字状の本体と、その両端を貫通するボルトとから構成され、ボルトを着脱することで、玉掛けワイヤロープの連結及び取り外しが可能となると、シャックルという別部品を用意しなければならないため面倒である。
【０００４】
本発明は、このような従来の技術に着目してなされたものであり、シャックル無しで玉掛けワイヤロープ等の連結が可能な開閉式アイボルトを提供するものである。
【課題を解決するための手段】
【０００５】
請求項１記載の発明は、底面にネジ軸が形成され且つ両端部に貫通孔とネジ孔が形成された概略Ｕ型のアイボルト本体と、前記貫通孔からネジ孔へ挿入自在で且つ先端にネジ孔に螺合するネジ部が形成されたロックボルトとから構成されたことを特徴とする。
【０００６】
請求項２記載の発明は、底面にネジ軸が形成され且つ両端部のそれぞれに貫通孔が形成された概略Ｕ型のアイボルト本体と、前記両貫通孔に挿入自在で且つ先端にネジ部が形成されたロックボルトと、前記ロックボルトの前記ネジ部に螺合するロックナットとから構成されたことを特徴とする。
【０００７】
請求項３記載の発明は、ロックボルトの基端に扁平頭部が形成されていることを特徴とする。
【０００８】
請求項４記載の発明は、前記ネジ軸は前記アイボルト本体において回動自在に固定されていることを特徴とする。
【発明の効果】
【０００９】
請求項１または請求項２記載の発明によれば、アイボルト本体がＵ字形で、その両端にロックボルトを螺合することで、はじめて閉ループ構造になるため、シャックル無しでも、玉掛けワイヤロープ等の連結が可能である。
【００１０】
請求項３記載の発明は、ロックボルトの基端に扁平頭部が形成されているため、該扁平頭部を手で持ってロックボルトのアイボルト本体に対する螺合作業を行うことができる。
【００１１】
請求項４の記載の発明によれば、玉掛けワイヤロープの引っ張り方向に対してロックボルトを適切な位置に回動することができる。
【発明を実施するための最良の形態】
【００１２】
以下、図１及び図２に基づいて、本発明の好適な実施形態を説明する。
【００１３】
この実施形態に係るアイボルト１は、概略Ｕ字形のアイボルト本体２と、ロックボルト３とから構成されている。
【００１４】
アイボルト本体２の底面にはネジ軸４が形成されている。このネジ軸４は吊り上げる重量物５のタップ穴６に螺合される部分である。アイボルト本体２の両端部７、８は幅が広く形成され、それぞれ貫通孔９とネジ孔１０が形成されている。
【００１５】
ロックボルト３は、アイボルト本体２の両端部７、８間に挿入可能な長さを有し、先端にはアイボルト本体２のネジ孔１０に螺合可能なネジ部１１が形成されている。ロックボルト３の基端にはロックボルト３の径よりも大径なリング状の扁平頭部１２が形成されている。
【００１６】
この開閉アイボルト１を用いて、重量物５を吊り上げる場合、まずアイボルト本体２のネジ軸４を重量物５のタップ穴６に螺合して、アイボルト本体２を重量物５と連結する。この時、アイボルト本体２は、まだ開いた状態である。
【００１７】
次に、吊り上げ用の玉掛けワイヤロープ１３のループ状先端部１４をアイボルト本体２の両端部７、８間に位置させる。そして、ロックボルト３を先端のネジ部１１から貫通孔９に通し、ロックボルト３の先端を玉掛けワイヤロープ１３のループ状先端部１４に通した後、そのまま、反対側のネジ孔１０に螺合させる。ロックボルト３の螺合回転作業は、ロックボルト３の基端の扁平頭部２１を持って行うことにより、容易に行うことができる。
【００１８】
ロックボルト３を螺合したことにより、アイボルト本体２は閉じた状態となり、玉掛けワイヤロープ１３によりアイボルト１を介して重量物５を吊り上げることができる。
【００１９】
上記の変形例として、ネジ孔１０の代わりに貫通孔を形成してもよい。この場合、ロックボルト３を両貫通孔に挿入した後、ロックナット（図示せず）をネジ部１１に螺合させる。この構成による効果は上記と同様である。
【００２０】
図示しない更なる変形例として、ネジ軸４をアイボルト本体２において回動自在に固定してもよい。例えば、アイボルト本体２の底部に貫通孔を形成し、その中にネジ軸４を挿通して回動可能に固定する。そして、ネジ軸４がこの貫通孔から抜け出ないように当該貫通孔よりも大きい径の頭部をネジ軸４の先端に設ける。この頭部は螺合や圧入嵌合等による接合でよい。上記貫通孔の代わりに止め孔を形成し、上記頭部をアイボルト本体２内に収めてもよい。さらに、回動を円滑にするための軸受機構をネジ軸４と貫通孔或いは止め孔との間に併設しても良い。これらの構成では、アイボルト１を相手側に固定した後でも、玉掛けワイヤロープの引っ張り方向に対してロックボルトを適切な位置に回動することができるので、ロックボルト３とアイボルト本体２との当接部における負荷が軽減される。
【００２１】
また本発明は図面に示す形態に限定されない。例えば、アイボルト本体２は、その断面を円形または楕円等としてもよい。
【００２２】
以上説明したように、ループ状先端部１４を有する玉掛けワイヤロープ１３を利用して重量物５を吊り上げる場合も、アイボルト１だけの利用で吊り上げることができ、従来のようなシャックルを用いる必要がないため、作業が容易である。
【図面の簡単な説明】
【００２３】
【図１】本発明の一実施形態に係る開閉式アイボルトを示す斜視図。
【図２】開閉式アイボルトを示す断面図。
【符号の説明】
【００２４】
１  開閉式アイボルト
２  アイボルト本体
３  ロックボルト
４  ネジ軸
５  重量物
６  タップ穴
７、８  両端部
９  貫通孔
１０  ネジ孔
１１  ネジ部
１２  扁平頭部
１３  玉掛けワイヤロープ
１４  ループ状先端部
【図１】
2010048377.tif 000003
【図２】
2010048377.tif 000004